(57)【要約】【課題】電力供給システムにおいて、太陽光の利用効率の向上を図る。【解決手段】制御システム１において、ホームコントローラ１０は、家電群４０に含まれる各家電について、少なくとも、各家電の消費電力量を取得することができる。また、ホームコントローラ１０は、パワーコンディショナ３０から発電量情報を取得する。また、ホームコントローラ１０は、給湯装置５０以外の電気器具の電力の、所定の期間の電力の消費量を予測し、これに基づき、給湯装置５０が、特定の装置に対して給湯できる湯量を予測する。【選択図】図１
2012163222.tif 000002
【特許請求の範囲】
【請求項１】
貯湯式給湯装置の動作を制御するコントローラであって、
メモリと、
前記メモリに接続されたプロセッサとを備え、
前記プロセッサは、太陽光で発電する太陽光発電手段の所定の期間の発電量を予測し、
前記太陽光発電手段は、前記貯湯式給湯装置を含む家電器具群に、電力を供給し、
前記プロセッサは、
前記家電器具群に含まれる、前記貯湯式給湯装置以外の電気器具の電力の前記所定の期間の消費量を予測し、
前記予測した前記所定の期間の発電量と前記予測した前記所定の期間の消費量に基づいて、前記貯湯式給湯装置が前記太陽光発電手段からの電力供給によって前記所定の期間に給湯できる湯量を予測する、コントローラ。
【請求項２】
前記貯湯式給湯装置は、洗濯機に対して洗濯水を給湯でき、
前記プロセッサは、前記予測した湯量に基づいて、前記洗濯機への前記貯湯式給湯装置からの給湯量を制御する、請求項１に記載のコントローラ。
【請求項３】
前記プロセッサは、前記予測した湯量に基づいて、前記貯湯式給湯装置への給水量を制御する、請求項１または請求項２に記載のコントローラ。
【請求項４】
前記貯湯式給湯装置に給湯させる給湯先を指定する指定手段をさらに備え、
前記プロセッサは、前記予測した湯量に基づいて、前記指定された給湯先への給湯量を制御する、請求項１に記載のコントローラ。
【請求項５】
気象予測情報を取得する取得手段をさらに備え、
前記プロセッサは、前記取得した気象予測情報に基づいて、前記発電量を予測する、請求項１に記載のコントローラ。
【請求項６】
貯湯式給湯装置の動作を制御するコンピュータに、
太陽光で発電する太陽光発電手段の所定の期間の発電量を予測するためのステップを実行させ、
前記太陽光発電手段は、前記貯湯式給湯装置を含む家電器具群に、電力を供給し、
前記コンピュータに、さらに、
前記家電器具群に含まれる、前記貯湯式給湯装置以外の電気器具の電力の前記所定の期間の消費量を予測するためのステップ、および、
前記予測した前記所定の期間の発電量と前記予測した前記所定の期間の消費量に基づいて、前記貯湯式給湯装置が前記太陽光発電手段からの電力供給によって前記所定の期間に給湯できる湯量を予測するステップとを実行させる、プログラム。
【発明の詳細な説明】
【技術分野】
【０００１】
本発明は、コントローラおよび制御プログラムに関し、特に、太陽光発電の電力を利用する貯湯式給湯装置を含む電力供給システムにおける、コントローラおよび制御プログラムに関する。
【背景技術】
【０００２】
従来から、太陽光発電によって生じた電力が利用されている。特に、近年の環境に配慮したエネルギー消費の観点から、太陽光発電の利用への興味や期待は高まっている。太陽光発電の利用について、たとえば特許文献１（特開２００８−２７０２号公報）には、太陽光発電を利用して貯湯式給湯装置に温水を生成させるための技術が開示されている。当該特許文献１では、気象予測情報に応じて、貯湯式給湯装置による温水の生成に、太陽光発電による電力を利用するか、商用電力を利用するかが決定される。
【先行技術文献】
【特許文献】
【０００３】
【特許文献１】特開２００８−２７０２号公報
【発明の概要】
【発明が解決しようとする課題】
【０００４】
特許文献１に記載の技術によれば、貯湯式給湯装置による温水の余剰分の利用等については検討されていなかった。太陽光の利用効率の向上を図る場合、太陽光発電における電力への変換効率の向上も重要ではあるが、太陽光発電によって生じた電力の有効利用も重要である。
【０００５】
本発明は、かかる実情に鑑み考え出されたものであり、その目的は、電力供給システムにおいて、太陽光の利用効率の向上を図ることである。
【課題を解決するための手段】
【０００６】
本発明に従ったコントローラは、貯湯式給湯装置の動作を制御するコントローラであって、メモリと、メモリに接続されたプロセッサとを備え、プロセッサは、太陽光で発電する太陽光発電手段の所定の期間の発電量を予測し、太陽光発電手段は、貯湯式給湯装置を含む家電器具群に、電力を供給し、プロセッサは、家電器具群に含まれる、貯湯式給湯装置以外の電気器具の電力の所定の期間の消費量を予測し、予測した所定の期間の発電量と予測した所定の期間の消費量に基づいて、貯湯式給湯装置が太陽光発電手段からの電力供給によって所定の期間に給湯できる湯量を予測する。
【０００７】
好ましくは、貯湯式給湯装置は、洗濯機に対して洗濯水を給湯でき、プロセッサは、予測した湯量に基づいて、洗濯機への貯湯式給湯装置からの給湯量を制御する。
【０００８】
好ましくは、プロセッサは、予測した湯量に基づいて、貯湯式給湯装置への給水量を制御する。
【０００９】
好ましくは、貯湯式給湯装置に給湯させる給湯先を指定する指定手段をさらに備え、プロセッサは、予測した湯量に基づいて、指定された給湯先への給湯量を制御する。
【００１０】
好ましくは、気象予測情報を取得する取得手段をさらに備え、プロセッサは、取得した気象予測情報に基づいて、発電量を予測する。
【００１１】
本発明に従った制御プログラムは、貯湯式給湯装置の動作を制御するコンピュータに、太陽光で発電する太陽光発電手段の所定の期間の発電量を予測するためのステップを実行させ、太陽光発電手段は、貯湯式給湯装置を含む家電器具群に、電力を供給し、コンピュータに、さらに、家電器具群に含まれる、貯湯式給湯装置以外の電気器具の電力の所定の期間の消費量を予測するためのステップ、および、予測した所定の期間の発電量と予測した所定の期間の消費量に基づいて、貯湯式給湯装置が太陽光発電手段からの電力供給によって所定の期間に給湯できる湯量を予測するステップとを実行させる。
【発明の効果】
【００１２】
本発明によれば、貯湯式給湯装置が太陽光発電手段からの電力供給によって所定の期間に給湯できる湯量が予測される。
【００１３】
これにより、上記湯量についての利用計画を立てることができるため、電力供給システムにおいて、太陽光の利用効率の向上を図ることができる。
【図面の簡単な説明】
【００１４】
【図１】本実施の形態に係る制御システムの概略構成を示す図である。
【図２】図１のホームコントローラのハードウェア構成を示す図である。
【図３】図２のホームコントローラにおいて実行される、洗濯機に供給することができる湯量を算出するための処理のフローチャートである。
【図４】図２のホームコントローラにおいて実行される、洗濯機への給湯のための弁の開放度合いを調整するための処理のフローチャートである。
【図５】図１の制御システムの変形例の概略構成を示す図である。
【図６】図２のホームコントローラの変形例のハードウェア構成を示す図である。
【図７】図６のホームコントローラにおいて実行される、指定給湯先への給湯のための弁の開放度合いを調整するための処理のフローチャートである。
【発明を実施するための形態】
【００１５】
以下、図面を参照しつつ、本発明の実施の形態に係るコントローラを含む制御システムについて説明する。以下の説明では、同一の部品には同一の符号を付し、それらの名称および機能も同一としている。そして、これらについては、詳細な説明は繰返さない。なお、本明細書において、「家電」とは、家庭用電気器具の略称である。
【００１６】
［システム構成］
図１は、本実施の形態に係る制御システム１の概略構成を示す図である。図１を参照して、制御システム１は、ホームコントローラ１０と、太陽光発電装置２０と、インテリジェントパワーコンディショナ３０（以下、「パワーコンディショナ３０」と称する）と、家電群４０と、給湯装置５０とを備える。
【００１７】
太陽光発電装置２０は、日中に太陽の光を受けて、当該受けた光の光エネルギを電力に変える電力機器である。
【００１８】
パワーコンディショナ３０は、太陽光発電装置２０で発電した電気を変換して、宅内で使えるように宅内の電力系統に繋ぐ機器である。図１に示された制御システム１では、太陽光発電装置２０において太陽光に基づいて生成された電力は、家電群４０および給湯装置５０（後述するヒートポンプ５２）に供給される。パワーコンディショナ３０は、太陽光発電装置２０が発電した電力量（発電量）を示した発電量情報をホームコントローラ１０に送る。発電量情報は、単位時間当たりの発電量を示した情報である。なお、パワーコンディショナ３０は、太陽光発電装置２０だけでなく、図示していない商用電源および蓄電池にも接続されている。
【００１９】
家電群４０は、少なくとも、空気調和機４１、テレビ４２、冷蔵庫４３、および、洗濯機４４とを含む。
【００２０】
ホームコントローラ１０は、家電群４０に含まれる各家電について、少なくとも、各家電の消費電力量を取得することができる。また、ホームコントローラ１０は、パワーコンディショナ３０から発電量情報を取得する。
【００２１】
ホームコントローラ１０は、また、気象予測情報を取得する等して、将来の所定の期間（たとえば、翌日）についての太陽光発電装置２０の発電量を予測する。当該発電量の予測は、たとえば、ホームコントローラ１０がネットワークを介して所定のサーバに接続する等により、気象予測情報（たとえば、「晴れ」「曇り」「晴れのち雨」などの天気予報）を取得し、当該気象予測情報に基づいて実現される。ホームコントローラ１０は、さらに、過去の実績値当に基づいて、家電群４０の各家電の、当該所定の期間についての消費電力量を予測する。ここで予測される電力の消費量は、太陽光発電装置２０が太陽光を用いて発電した電力が供給される機器のうち、給湯装置５０（後述するヒートポンプ５２）以外の家電についての消費量である。
【００２２】
給湯装置５０は、貯湯タンク５１とヒートポンプ５２とを含む。外部から供給された水が、貯湯タンク５１に貯蔵される。なお、給湯装置５０では、貯湯タンク５１とヒートポンプ５２との間で水が循環する経路６Ｄが備えられている。ヒートポンプ５２は、パワーコンディショナ３０を介して、太陽光発電装置２０において生成された電力を供給されることにより、貯湯タンク５１から送られた経路６Ｄ内の水を加熱する。ヒートポンプ５２によって加熱された水（湯）が貯蔵される。つまり、貯湯タンク５１には、外部の水源から経路６Ａおよび６Ｅを介して供給される水道水と、ヒートポンプ５２において加熱された水（湯）が、混合されて、貯蔵される。
【００２３】
貯湯タンク５１に貯蔵された湯は、宅内に備えられた給湯部位６０へと供給される。給湯部位６０は、洗濯機の洗濯水として湯を供給するための蛇口６１、キッチンにおける炊事に利用されるための湯を供給する蛇口６２、シャワー水として湯を供給するための蛇口６３、および、浴槽において入浴用として湯を供給するための蛇口６４を含む。
【００２４】
給湯装置５０には、上記各蛇口に、外部から経路６Ａを介して供給される水道水と、貯湯タンク５１から供給される湯との供給の割合を調整するための調整弁５４，５５，５７が設けられている。ホームコントローラ１０が、各種の設定に応じて、調整弁５４，５５，５７のそれぞれの開閉の度合いを制御する。
【００２５】
また、給湯装置５０には、外部の水源から貯湯タンク５１に供給される水道水の量を調整するための調整弁５３が設けられている。
【００２６】
調整弁５３から貯湯タンク５１までの給水経路が、経路６Ｅとして示されている。また、貯湯タンク５１から調整弁５４までの給水（給湯）の経路が、経路６Ｆとして示されている。調整弁５４から蛇口６４までの給水（給湯）経路が、経路６Ｍとして示されている。
【００２７】
貯湯タンク５１から調整弁５５までの給湯経路が、経路６Ｇとして示されている。経路６Ｇ中の湯と外部から経路６Ａを介して供給された水道水とが調整弁５５で混合されて、経路６Ｈへ送られる。経路６Ｈへ送られた湯は、蛇口６１、蛇口６２、および蛇口６３のそれぞれに給湯される経路へ分配する分配器５６へ送られる。経路６Ｈ内の湯は、分配器５６を介して、蛇口６３に続く経路６Ｌ、蛇口６２へ続く経路６Ｋ、および、調整弁５７へ続く経路６Ｂの、３経路に分配される。分配器５６は、経路６Ｌ、経路６Ｋ、経路６Ｂの３経路に、一定の割合で、経路６Ｈへ送られた湯を送るものとする。
【００２８】
経路６Ｂに導入された湯は、調整弁５７を介して、経路６Ｊに導入され、経路６Ｊから蛇口６１を介して洗濯機４４の洗濯水とされる。なお、洗濯機４４には、経路６Ａおよび蛇口６５を介して、水道水も供給され得る。蛇口６１，６５から給水を受ける洗濯機４４と、パワーコンディショナ３０から電力の供給を受ける洗濯機４４は、同一の装置であっても良いし、異なる装置であっても良い。
【００２９】
本実施の形態では、ホームコントローラ１０は、家電群４０における、翌日の消費電力量を予測し、さらに、これに応じて、ヒートポンプ５２に対して当該翌日供給できる電力量を予測し、さらに、これに応じて、貯湯タンク５１において所定の温度まで加熱された湯の量を予測する。そして、ホームコントローラ１０は、当該湯量の予測結果に基づいて、洗濯機４４に対して洗濯水として供給できる湯量を予測する。そして、ホームコントローラ１０は、このように洗濯水として利用できる湯量だけ貯湯タンク５１からの湯が蛇口６１に供給されるように、調整弁５７の開閉度合いを調整する。
【００３０】
［ホームコントローラ１０のハードウェア構成］
図２は、本実施の形態のホームコントローラ１０のハードウェア構成を示す図である。
【００３１】
図２を参照して、ホームコントローラ１０は、ディスプレイ１０１と、タッチセンサ１０２と、入力部１０４と、通信インターフェイス１０５と、モータドライバ１０６と、マイク１０７と、スピーカ１０８と、メモリインターフェイス１０９と、ＣＰＵ（Central  Processing  Unit）１１０と、メモリ１１１と、ＲＡＭ（Random  Access  Memory）１１２とを含む。
【００３２】
ホームコントローラ１０では、タッチセンサ１０２は、ディスプレイ１０１上に設けられている。ディスプレイ１０１とタッチセンサ１０２により、タッチパネル１０３が構成されている。タッチセンサ１０２は、外部からタッチ操作されることにより情報の入力を受付ける。
【００３３】
ホームコントローラ１０は、タッチセンサ１０２の他に、電源ボタン等の入力デバイスからなる入力部１０４を含む。入力部１０４は、上記ボタン等を外部から操作されることにより、情報の入力を受付ける。なお、入力部１０４は、ディスプレイ１０１において表示されるソフトウェアキーによって構成されてもよい。
【００３４】
ＣＰＵ１１０は、メモリ１１１等に記憶されているプログラムを実行することにより、ホームコントローラ１０の動作を制御する。ＲＡＭ１１２は、ＣＰＵ１１０のワークエリアとして機能する。
【００３５】
ホームコントローラ１０では、ＣＰＵ１１０は、マイクロフォン（マイク）１０７を介して、音声の入力を受付けることもできる。ＣＰＵ１１０は、また、通信インターフェイス１０５を介して、外部の装置と、有線または無線で、通信することができる。ＣＰＵ１１０は、また、メモリインターフェイス１０９を介して、ホームコントローラ１０に対して着脱可能な記憶媒体２００に対する、情報の読取および／または書込をすることができる。
【００３６】
ＣＰＵ１１０は、メモリ１１１および／または記憶媒体２００に記憶されたプログラムを実行することにより、本明細書に記載された機能を実現する。
【００３７】
ホームコントローラ１０において、ＣＰＵ１１０による情報の読み込み／書き込みの対象となる記憶媒体としては、メモリ１１１および／または記憶媒体２００が例示されている。本明細書では、これらの記憶媒体を総称して、適宜メモリ１１１等という。
【００３８】
なお、記憶媒体２００としては、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体が挙げられる。
【００３９】
ホームコントローラ１０は、調整弁５３，５４，５５，５７のそれぞれの開閉の度合いを調整するためのモータであるバルブモータ５３Ａ，５４Ａ，５５Ａ，５７Ａを備えている。また、ホームコントローラ１０は、バルブモータ５３Ａ，５４Ａ，５５Ａ，５７Ａを駆動するためのモータドライバ１０６を備える。ＣＰＵ１１０は、モータドライバ１０６によって、バルブモータ５３Ａ，５４Ａ，５５Ａ，５７Ａのそれぞれの駆動を制御する。各バルブモータの駆動が制御されることにより、各調整弁５３，５４，５５，５７の開閉状態が調整される。
【００４０】
メモリ１１１等には、翌日の各家電の消費電力量を予測するためのデータおよび太陽光発電装置２０の発電量を予測するためのデータが記憶されている。翌日の各家電の消費電力量を予測するためのデータの一例としては、各家電の過去の特定の期間（たとえば、１年分）の電力消費量が挙げられる。各家電の電力消費量の記憶内容の一例を、表１〜表４に、それぞれ示す。
【００４１】
【表１】
2012163222.tif 000003
【００４２】
【表２】
2012163222.tif 000004
【００４３】
【表３】
2012163222.tif 000005
【００４４】
【表４】
2012163222.tif 000006
【００４５】
表１は、空気調和機４１の、１日毎の電気消費量が記憶されている。表１では、各日の電力消費量が、「ＷＡ００１」「ＷＡ００２」等の記号で表わされている。
【００４６】
表２は、テレビ４２の、１日毎の電力消費量の履歴が示されている。なお、表２では、テレビ４２の各日の電力消費量が、「ＷＴ００１」「ＷＴ００２」等の記号で示されている。
【００４７】
表３は、冷蔵庫４３の、１日毎の電力消費量の履歴を示している。なお、表３では、冷蔵庫４３の各日の電力消費量が、「ＷＲ００１」「ＷＲ００２」等の記号で示されている。
【００４８】
表４は、洗濯機４４の、１日毎の電力消費量の履歴を示している。なお、表４では、洗濯機４４の各日の電力消費量が、「ＷＷ００１」「ＷＷ００２」等の記号で示されている。
【００４９】
ＣＰＵ１１０は、たとえば、通信インターフェイス１０５を介してパワーコンディショナ３０と通信することにより、当該パワーコンディショナ３０で計測された、各日の、各家電への給電量を取得して、表１〜表４に示したような各日の電力消費量として、メモリ１１１等に記憶する。
【００５０】
また、ホームコントローラ１０では、各日の、太陽光発電装置２０における電力の生成量（つまり、発電量）が記憶されている。記憶されるデータの一例を、表５に示す。
【００５１】
【表５】
2012163222.tif 000007
【００５２】
表５を参照して、メモリ１１１等では、太陽光発電装置２０の各日の発電量が、「ＷＧ００１」「ＷＧ００２」等の記号で表わされている。なお、表５では、各日の発電量とともに、当日の天候（「晴れ」「曇り」等）を特定する情報が記憶されている。ＣＰＵ１１０は、通信インターフェイス１０５を介して、各日の気象情報を取得することにより、表５に示されるように、各日の発電量とともに、各日の天候を記録する。
【００５３】
［給水処理］
上記したように、本実施の形態の制御システム１では、貯湯タンク５１への給水量は、ＣＰＵ１１０が、バルブモータ５３Ａの駆動状態を制御することにより、調整弁５３の開閉状態を制御し、これにより、貯湯タンク５１への給水量を制御する。また、制御システム１では、上記したように、洗濯機４４における洗濯水用に給湯する翌日の湯量を、太陽光発電装置２０の発電量および家電群４０の電力消費量の予測値に基づいて、算出する。ここで、ＣＰＵ１１０が洗濯機４４に供給することができる湯量を算出するための処理について、当該処理のフローチャートである図３を参照して説明する。
【００５４】
図３を参照して、ＣＰＵ１１０は、各日の所定の時刻（たとえば、午前５時等）が到来すると、当該処理を実行する。
【００５５】
図３を参照して、たとえば上記所定の時刻が到来したと判断すると、ＣＰＵ１１０は、まず、ステップＳＡ１０で、当日の太陽光発電装置２０の発電量を予測する。ＣＰＵ１１０は、たとえば、メモリ１１１等に記憶されている、前年の同月同日の発電量を読込み、当該読込んだ発電量を、発電量の予測値とする。
【００５６】
また、ＣＰＵ１１０は、当日の気象予測情報を、通信インターフェイス１０５を介して、ネットワーク上のサーバ等から、当日の気象予測情報を取得し、当該気象予測情報に基づいて導出される日照時間から、発電量を予測することもできる。なお、日照時間は、たとえば、日の出時刻と日の入り時刻から求めることができる。また、日照時間と発電量とを関連付ける情報（テーブルまたは関数）は、予めメモリ１１１等に登録されているものとし、ＣＰＵ１１０は、当該情報を用いて、発電量を算出する。
【００５７】
また、ＣＰＵ１１０は、前年の同月同日の前後１週間程度の発電量の記録の中で、通信インターフェイス１０５を介して取得した当日の気象予測情報で特定される天候と同じ天候の発電量の平均値を算出することにより、当日の発電量の予測値を算出してもよい。
【００５８】
ここで、ＣＰＵ１１０は、通信インターフェイス１０５を介して気象予測情報を取得することもできれば、タッチセンサ１０２および／または入力部１０４、もしくは、メモリインターフェイス１０９を介して記憶媒体２００から、気象予測情報を取得することもできる。
【００５９】
ステップＳＡ１０で当日の発電量を予測した後、ＣＰＵ１１０は、ステップＳＡ２０で、家電群４０に含まれる各家電の、当日の電力消費量を予測する。
【００６０】
ここで、ＣＰＵ１１０は、たとえば、各家電についての、表１〜表４を参照して説明したような、電力消費量の履歴を用いて、各家電の電力消費量を予測することができる。具体的には、前年の同月同日の電力消費量を読込み、当該読込んだ消費量を予測値とすることができる。
【００６１】
また、ＣＰＵ１１０は、前年の同月同日の前後１週間程度の各家電の電力消費量を読込み、同じ曜日、および／または同じ天候の日の電力消費量の平均値を、各家電の電力消費量の予測値とすることができる。
【００６２】
そして、ステップＳＡ２０では、ＣＰＵ１１０は、各家電について取得した、当日の電力消費量の予測値の和を求めることにより、家電群４０の、当日の電力消費量の予測値を取得する。
【００６３】
次に、ＣＰＵ１１０は、ステップＳＡ３０で、余剰の電力量を算出する。具体的には、ステップＳＡ１０で取得した発電量の予測値から、ステップＳＡ２０で取得した家電群４０の電力消費量の予測値を差引くことにより、余剰の電力量を算出する。
【００６４】
次に、ＣＰＵ１１０は、ステップＳＡ４０で、ステップＳＡ３０で算出した余剰電力量によって取得できる湯量である余剰湯量を算出する。
【００６５】
なお、ステップＳＡ４０における余剰湯量の算出は、たとえば、ステップＳＡ３０で算出した余剰電力量によって、ヒートポンプ５２における給湯温度まで加熱することができる水道水の量を算出することによって、実現される。
【００６６】
［洗濯機への給湯のための弁の開放度合いの調整］
本実施の形態の制御システム１では、上記したように算出された余剰湯量に基づいて、洗濯機４４に洗濯用に供給する湯量が決定される。そして、制御システム１では、当該給湯量に応じて、調整弁５７の開放の度合いならびにが調整される。以下、このような調整弁の調整について、当該調整のための処理のフローチャートである図４を参照して説明する。なお、調整弁５５は、制御システム１が正常に動作する場合では、予め設定された一定の開放度合いに調整されているものとする。
【００６７】
ＣＰＵ１１０は、たとえば図３を参照して説明した湯量算出処理の後、図４に示す処理を開始する。ＣＰＵ１１０は、ステップＳＢ１０で、ステップＳＡ４０で算出した余剰湯量を読込み、ステップＳＢ２０へ処理を進める。
【００６８】
ステップＳＢ２０では、ＣＰＵ１１０は、当日、ステップＳＢ１０で取得した余剰湯量の中で、当日、洗濯機４４に対して洗濯水として供給できる湯量を決定して、ステップＳＢ３０へ処理を進める。
【００６９】
ステップＳＢ２０では、たとえば、蛇口６２〜６４を介して消費される湯量の予測値を、余剰湯量から差引くことにより、当日、洗濯機４４に対して洗濯水として供給できる湯量が算出される。なお、蛇口６２〜６４を介して供給される湯量の予測値は、過去の、各蛇口からの給湯量をメモリ１１１等に記憶させておき、前年の同月同日の給湯量、または、前年と同月同日の前後１週間程度の給湯量の平均値とを求めることにより、取得することができる。
【００７０】
なお、各蛇口からの給湯量は、たとえば、各蛇口についてのメータを設けておく、または、バルブモータ５４Ａ、バルブモータ５５Ａ、バルブモータ５７Ａの開閉操作（および／または開閉制御）の履歴等により、算出することができる。
【００７１】
次に、ＣＰＵ１１０は、ステップＳＢ３０で、洗濯機４４に給湯するための蛇口６１の、洗濯機４４における洗濯動作の際に開放される時間を取得して、ステップＳＢ４０へ処理を進める。なお、当該開放時間は、メモリ１１１等に、予め記憶されているものとする。
【００７２】
ステップＳＢ４０では、ＣＰＵ１１０は、ステップＳＢ３０で取得した開放時間で、ステップＳＢ２０で算出した湯量を洗濯機４４へ供給するための、洗濯機４４への給湯のための調整弁（調整弁５７）の開放度合いを算出して、ステップＳＢ５０へ処理を進める。
【００７３】
なお、ステップＳＢ４０では、メモリ１１１等では、調整弁５７の開放度合いと単位時間当たりの蛇口６１から供給される湯量との関係を特定する情報が記憶されているものとする。そして、ステップＳＢ４０では、ステップＳＢ２０で取得した湯量と、ステップＳＢ３０で取得した開放時間と、メモリ１１１等に記憶されている上記関係とに基づいて、調整弁５７の開放度合いを算出する。
【００７４】
ステップＳＢ５０では、ＣＰＵ１１０は、バルブモータ５７Ａを駆動させて、処理を終了させる。
【００７５】
［変形例等］
以上説明した本実施の形態では、ステップＳＡ１０で、太陽光で発電する太陽光発電手段（太陽光発電装置２０）による、１日の発電量が予測される。なお、本実施の形態において「１日」は、本発明に係るコントローラにおける「所定の期間」の一例である。発電量の予測を行なう期間は、本実施の形態の１日に限定されず、１ヶ月毎、２週間毎などであってもよい。
【００７６】
また、本実施の形態において、ステップＳＡ２０の処理により、太陽光発電手段が電力を供給する家電機器群に含まれる、貯湯式給湯装置（給湯装置５０）以外の電気器具の電力の、上記所定の期間の電力の消費量が予測される。なお、電力の消費量の予測を行なう期間は、太陽光発電手段の発電量の予測を行なう期間と同じであれば、本実施の形態において説明した「１日」に限定されない。
【００７７】
そして、ステップＳＢ２０では、貯湯式給湯装置（給湯装置５０）が、特定の装置に対して給湯できる湯量が予測される。
【００７８】
そして、コントローラ（ホームコントローラ１０）は、上記のように予測された湯量に基づいて、上記装置に供給する湯量を調整するための、調整弁５７の開閉度合いを制御する。
【００７９】
なお、本実施の形態において、太陽光発電手段による発電量の中で、家電機器群によって消費される電力消費量を予め予測し、そして、余剰電力を算出する。
【００８０】
そして、余剰電力によって給湯できる湯量が算出される。
そして、当該余剰電力によって給湯できる湯量を、最大限、洗濯機４４における洗濯水として供給できるように、制御が行なわれる。
【００８１】
これにより、洗濯機４４において、より高温の水（湯）を、洗濯水として利用することができる。洗濯機４４において、高温の水を洗濯水として利用できることにより、洗濯機４４での被洗濯物（衣類等）の洗浄効率を向上できる。
【００８２】
洗濯機４４への給湯量を、余剰電力による給湯量に応じて変動させる場合には、次のような利点がある。つまり、洗濯機４４における洗浄水は、シャワーや浴槽などのように、人体に直接触れるものではないため、その温度制御は、厳密に行なわれる必要がない。したがって、日によって変動が大きいと考えられる余剰電力による給湯量が決定される装置としては、厳格な温度制御を必要とされない洗濯機の洗濯水は、適したものであると考えられる。
【００８３】
なお、余剰電力に応じて最大限供給される湯量を設定される機器は、洗濯機４４に限定されるものではない。たとえば、洗車に用いる洗濯水などの用途で、余剰電力による給湯量が決定されてもよい。
【００８４】
［洗濯機への給湯のための弁の開放度合いの調整の変形例］
図４を参照して説明した処理では、余剰電力に応じて最大限供給される湯量を設定される機器が洗濯機４４とされていた。なお、このように湯量を設定される機器は、ユーザから指定されることによって決定されても良い。
【００８５】
（システムの構成）
図５は、このように変更された制御システム１の概略構成を示す図である。図６は、図５の制御システム１のホームコントローラ１０のハードウェア構成を示す図である。
【００８６】
図５を参照して、本変形例では、制御システム１には、図１を参照して説明した制御システム１に対し、以下の変更が加えられている。
【００８７】
分配器５６と蛇口６２には、蛇口６２への単位時間当たりの給湯量を制御するための調整弁５８が設けられている。分配器５６から調整弁５８までの給湯経路が経路６Ｋとされ、調整弁５８から蛇口６２までの給湯経路が経路６Ｐとされている。
【００８８】
また、分配器５６と蛇口６３には、蛇口６３への単位時間当たりの給湯量を制御するための調整弁５９が設けられている。分配器５６から調整弁５９までの給湯経路が経路６Ｌとされ、調整弁５９から蛇口６３までの給湯経路が経路６Ｑとされている。
【００８９】
図６を参照して、本変形例では、制御システム１には、図１を参照して説明した制御システム１に対し、さらに、調整弁５８の開閉を制御するバルブモータ５８Ａ、および、調整弁５９の開閉を制御するバルブモータ５９Ａをさらに含む。そして、モータドライバ１０６は、さらに、バルブモータ５８Ａおよびバルブモータ５９Ａを駆動する。
【００９０】
（調整弁の調整処理）
図７は、本変形例の制御システム１において、ホームコントローラ１０のＣＰＵ１１０が実行する、指定された機器への給湯のために調整弁を調整するための処理のフローチャートである。図７は、図４に示された処理の変形例のフローチャートに相当する。本変形例のＣＰＵ１１０は、図３を参照して説明した湯量算出処理の後、図７に示す処理を開始する。
【００９１】
図７を参照して、ＣＰＵ１１０は、ステップＳＣ１０で、ステップＳＡ４０で算出した余剰湯量を読込み、さらに、余剰電力で生じた湯を供給する供給先を指定する情報（指定給湯先）の入力を受け付けて、ステップＳＣ２０へ処理を進める。指定給湯先は、たとえば、ユーザが、タッチパネル１０３および／または入力部１０４を操作することによって入力される。また、本変形例では、指定給湯先は、洗濯機（蛇口６１）、キッチン（蛇口６２）、および、シャワー（蛇口６３）のいずれかから選択されるものとする。
【００９２】
ステップＳＣ２０では、ＣＰＵ１１０は、当日、ステップＳＣ１０で取得した余剰湯量の中で、当日、上記指定給湯先に対して洗濯水として供給できる湯量を決定して、ステップＳＣ３０へ処理を進める。
【００９３】
ステップＳＣ２０では、たとえば、蛇口６２〜６４を介して消費される湯量の予測値を、余剰湯量から差引くことにより、当日、指定給湯先に対して供給できる湯量が算出される。なお、蛇口６２〜６４を介して供給される湯量の予測値は、ステップＳＢ２０と同様に、過去の、各蛇口からの給湯量をメモリ１１１に記憶させておき、前年の同月同日の給湯量、または、前年と同月同日の前後１週間程度の給湯量の平均値とを求めることにより、取得することができる。
【００９４】
次に、ＣＰＵ１１０は、ステップＳＣ３０で、指定給湯先の蛇口の、当日に開放されることが予測される時間を取得して、ステップＳＣ４０へ処理を進める。なお、各蛇口の各日の開放時間（開放された累積時間）は、メモリ１１１等に、予め記憶されているものとする。そして、ステップＳＣ３０で、ＣＰＵ１１０は、たとえば、指定給湯先の蛇口の、前日の開放時間を、当該蛇口の当日の開放時間の予測値として取得する。なお、前日の開放時間の代わりに、一週間前または前年の同月同日の開放時間が、開放時間の予測値として取得されても良い。
【００９５】
ステップＳＣ４０では、ＣＰＵ１１０は、ステップＳＣ３０で取得した開放時間で、ステップＳＣ２０で算出した湯量を指定給湯先へ供給するための、指定給湯先への給湯のための調整弁（調整弁５７、調整弁５８、および／または、調整弁５９）の開放度合いを算出して、ステップＳＣ５０へ処理を進める。
【００９６】
なお、ステップＳＣ４０では、メモリ１１１等では、調整弁５７、調整弁５８、および、調整弁５９のそれぞれについて、それらの開放度合いと単位時間当たりの蛇口６１，６２，６３から供給される湯量との関係を特定する情報が記憶されているものとする。そして、ステップＳＣ４０では、ステップＳＣ２０で取得した湯量と、ステップＳＣ３０で取得した開放時間と、メモリ１１１等に記憶されている上記関係とに基づいて、調整弁５７、調整弁５８、および／または、調整弁５９の開放度合いを算出する。
【００９７】
ステップＳＣ５０では、ＣＰＵ１１０は、ステップＳＣ４０で決定した各調整弁の開放度合いが、それぞれの開放度合いについて設定されている範囲を超えていないかどうかを判断する。そして、超えていないと判断するとステップＳＣ７０へ処理を進める。一方、越えていると判断すると、ステップＳＣ６０へ処理を進める。
【００９８】
なお、本変形例では、蛇口６２と蛇口６３のそれぞれについて、当該蛇口から供給される湯の温度についての上限が定められている。そして、このことに基づき、メモリ１１１等には、蛇口６２から供給される湯の上限温度に対応する調整弁５８の開放度合いが、第１上限値として記憶されている。また、メモリ１１１等には、蛇口６２から供給される湯の上限温度に対応する調整弁５９の開放度合いが、第２上限値として記憶されている。
【００９９】
そして、ステップＳＣ５０では、ＣＰＵ１１０は、ステップＳＣ４０において調整弁５８の開放度合いが算出された場合には、当該開放度合いが上記第１上限値を超えていないか判断し、また、ステップＳＣ４０において調整弁５９の開放度合いが算出された場合には、当該開放度合いが上記第２上限値を超えていないか判断する。そして、いずれも超えていないと判断するとステップＳＣ７０へ処理を進め、少なくとも一方が超えていると判断するとステップＳＣ６０へ処理を進める。
【０１００】
ステップＳＣ６０では、ＣＰＵ１１０は、許容されていると判断された開放度合いを許容範囲の最大値に変更して、ステップＳＣ７０へ処理を進める。具体的には、ＣＰＵ１１０は、ステップＳ６０において、ステップＳＣ４０で算出された調整弁５８の開放度合いが第１上限値を超えていれば当該開放度合いを第１上限値に変更し、また、ステップＳＣ４０で算出された調整弁５９の開放度合いが第２上限値を超えていれば当該開放度合いを第２上限値に変更する。
【０１０１】
そして、ステップＳＣ７０では、ＣＰＵ１１０は、指定給湯先に対応するバルブモータを、ステップＳＣ４０で算出された開放度合い（または、ステップＳＣ６０で変更された開放度合い）となるように駆動させて、処理を終了させる。
【０１０２】
以上説明した本変形例によれば、指定給湯先に、余剰電力による湯を最大限の供給できる。さらに、本変形例によれば、各指定給湯先に、供給される湯の温度に上限値が設定されている場合には、当該上限値を超えないように、給湯できる。
【０１０３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０４】
１０  ホームコントローラ、２０  太陽光発電装置、３０  パワーコンディショナ、４０  家電群、４１  空気調和機、４２  テレビ、４３  冷蔵庫、４４  洗濯機、５０  給湯装置、５１  貯湯タンク、５２  ヒートポンプ。
【図１】
2012163222.tif 000008
【図２】
2012163222.tif 000009
【図３】
2012163222.tif 000010
【図４】
2012163222.tif 000011
【図５】
2012163222.tif 000012
【図６】
2012163222.tif 000013
【図７】
2012163222.tif 000014
【手続補正書】
【提出日】平成24年4月25日(2012.4.25)
【手続補正２】
【補正対象書類名】明細書
【補正対象項目名】０００６
【補正方法】変更
【補正の内容】
【０００６】
本発明の或る局面に従ったコントローラは、貯湯式給湯装置の動作を制御するコントローラであって、メモリと、メモリに接続されたプロセッサとを備え、プロセッサは、太陽光で発電する太陽光発電手段の所定の期間の発電量を予測し、太陽光発電手段は、貯湯式給湯装置を含む家電器具群に、電力を供給し、プロセッサは、家電器具群に含まれる、貯湯式給湯装置以外の電気器具の電力の所定の期間の消費量を予測し、予測した所定の期間の発電量と予測した所定の期間の消費量に基づいて、貯湯式給湯装置が太陽光発電手段からの電力供給によって所定の期間に給湯できる湯量を予測し、貯湯式給湯装置は、洗濯機に対して洗濯水を給湯でき、プロセッサは、予測した湯量に基づいて、洗濯機への貯湯式給湯装置からの給湯量を制御する。
【手続補正３】
【補正対象書類名】明細書
【補正対象項目名】０００７
【補正方法】変更
【補正の内容】
【０００７】
本発明の他の局面に従ったコントローラは、貯湯式給湯装置の動作を制御するコントローラであって、メモリと、メモリに接続されたプロセッサとを備え、プロセッサは、太陽光で発電する太陽光発電手段の所定の期間の発電量を予測し、太陽光発電手段は、貯湯式給湯装置を含む家電器具群に、電力を供給し、プロセッサは、家電器具群に含まれる、貯湯式給湯装置以外の電気器具の電力の所定の期間の消費量を予測し、予測した所定の期間の発電量と予測した所定の期間の消費量に基づいて、貯湯式給湯装置が太陽光発電手段からの電力供給によって所定の期間に給湯できる湯量を予測し、貯湯式給湯装置に給湯させる給湯先を指定する指定手段をさらに備え、プロセッサは、予測した湯量に基づいて、指定された給湯先への給湯量を制御する。
【手続補正４】
【補正対象書類名】明細書
【補正対象項目名】０００９
【補正方法】削除
【補正の内容】
【手続補正５】
【補正対象書類名】明細書
【補正対象項目名】００１１
【補正方法】変更
【補正の内容】
【００１１】
本発明のさらに他の局面に従った制御プログラムは、貯湯式給湯装置の動作を制御するコンピュータに、太陽光で発電する太陽光発電手段の所定の期間の発電量を予測するためのステップを実行させ、太陽光発電手段は、貯湯式給湯装置を含む家電器具群に、電力を供給し、コンピュータに、さらに、家電器具群に含まれる、貯湯式給湯装置以外の電気器具の電力の所定の期間の消費量を予測するためのステップ、および、予測した所定の期間の発電量と予測した所定の期間の消費量に基づいて、貯湯式給湯装置が太陽光発電手段からの電力供給によって所定の期間に給湯できる湯量を予測するステップとを実行させ、貯湯式給湯装置は、洗濯機に対して洗濯水を給湯でき、コンピュータに、さらに、予測した湯量に基づいて、洗濯機への貯湯式給湯装置からの給湯量を制御するステップを実行させる。
本発明の別の局面に従った制御プログラムは、貯湯式給湯装置の動作を制御するコンピュータに、太陽光で発電する太陽光発電手段の所定の期間の発電量を予測するためのステップを実行させ、太陽光発電手段は、貯湯式給湯装置を含む家電器具群に、電力を供給し、コンピュータに、さらに、家電器具群に含まれる、貯湯式給湯装置以外の電気器具の電力の所定の期間の消費量を予測するためのステップと、予測した所定の期間の発電量と予測した所定の期間の消費量に基づいて、貯湯式給湯装置が太陽光発電手段からの電力供給によって所定の期間に給湯できる湯量を予測するステップと、貯湯式給湯装置に給湯させる給湯先を指定するステップと、予測した湯量に基づいて、指定された給湯先への給湯量を制御するステップとを実行させる。
本発明のさらに別の局面に従ったコントローラの制御方法は、貯湯式給湯装置の動作を制御するコントローラによって実行される、当該コントローラの制御方法であって、制御方法は、太陽光で発電する太陽光発電手段の所定の期間の発電量を予測するためのステップを含み、太陽光発電手段は、貯湯式給湯装置を含む家電器具群に、電力を供給し、制御方法は、さらに、家電器具群に含まれる、貯湯式給湯装置以外の電気器具の電力の所定の期間の消費量を予測するためのステップと、予測した所定の期間の発電量と予測した所定の期間の消費量に基づいて、貯湯式給湯装置が太陽光発電手段からの電力供給によって所定の期間に給湯できる湯量を予測するステップとを含み、貯湯式給湯装置は、洗濯機に対して洗濯水を給湯でき、制御方法は、さらに、予測した湯量に基づいて、洗濯機への貯湯式給湯装置からの給湯量を制御するステップを含む。
本発明のさらに別の局面に従ったコントローラの制御方法は、貯湯式給湯装置の動作を制御するコントローラによって実行される、当該コントローラの制御方法であって、制御方法は、太陽光で発電する太陽光発電手段の所定の期間の発電量を予測するためのステップを含み、太陽光発電手段は、貯湯式給湯装置を含む家電器具群に、電力を供給し、制御方法は、さらに、家電器具群に含まれる、貯湯式給湯装置以外の電気器具の電力の所定の期間の消費量を予測するためのステップと、予測した所定の期間の発電量と予測した所定の期間の消費量に基づいて、貯湯式給湯装置が太陽光発電手段からの電力供給によって所定の期間に給湯できる湯量を予測するステップと、貯湯式給湯装置に給湯させる給湯先を指定するステップと、予測した湯量に基づいて、指定された給湯先への給湯量を制御するステップとを含む。
【手続補正６】
【補正対象書類名】特許請求の範囲
【補正対象項目名】全文
【補正方法】変更
【補正の内容】
【特許請求の範囲】
【請求項１】
貯湯式給湯装置の動作を制御するコントローラであって、
メモリと、
前記メモリに接続されたプロセッサとを備え、
前記プロセッサは、太陽光で発電する太陽光発電手段の所定の期間の発電量を予測し、
前記太陽光発電手段は、前記貯湯式給湯装置を含む家電器具群に、電力を供給し、
前記プロセッサは、
前記家電器具群に含まれる、前記貯湯式給湯装置以外の電気器具の電力の前記所定の期間の消費量を予測し、
前記予測した前記所定の期間の発電量と前記予測した前記所定の期間の消費量に基づいて、前記貯湯式給湯装置が前記太陽光発電手段からの電力供給によって前記所定の期間に給湯できる湯量を予測し、
前記貯湯式給湯装置は、洗濯機に対して洗濯水を給湯でき、
前記プロセッサは、前記予測した湯量に基づいて、前記洗濯機への前記貯湯式給湯装置からの給湯量を制御する、コントローラ。
【請求項２】
貯湯式給湯装置の動作を制御するコントローラであって、
メモリと、
前記メモリに接続されたプロセッサとを備え、
前記プロセッサは、太陽光で発電する太陽光発電手段の所定の期間の発電量を予測し、
前記太陽光発電手段は、前記貯湯式給湯装置を含む家電器具群に、電力を供給し、
前記プロセッサは、
前記家電器具群に含まれる、前記貯湯式給湯装置以外の電気器具の電力の前記所定の期間の消費量を予測し、
前記予測した前記所定の期間の発電量と前記予測した前記所定の期間の消費量に基づいて、前記貯湯式給湯装置が前記太陽光発電手段からの電力供給によって前記所定の期間に給湯できる湯量を予測し、
前記貯湯式給湯装置に給湯させる給湯先を指定する指定手段をさらに備え、
前記プロセッサは、前記予測した湯量に基づいて、前記指定された給湯先への給湯量を制御する、コントローラ。
【請求項３】
前記プロセッサは、前記予測した湯量に基づいて、前記貯湯式給湯装置への給水量を制御する、請求項１または請求項２に記載のコントローラ。
【請求項４】
気象予測情報を取得する取得手段をさらに備え、
前記プロセッサは、前記取得した気象予測情報に基づいて、前記発電量を予測する、請求項１または請求項２に記載のコントローラ。
【請求項５】
貯湯式給湯装置の動作を制御するコンピュータに、
太陽光で発電する太陽光発電手段の所定の期間の発電量を予測するためのステップを実行させ、
前記太陽光発電手段は、前記貯湯式給湯装置を含む家電器具群に、電力を供給し、
前記コンピュータに、さらに、
前記家電器具群に含まれる、前記貯湯式給湯装置以外の電気器具の電力の前記所定の期間の消費量を予測するためのステップ、および、
前記予測した前記所定の期間の発電量と前記予測した前記所定の期間の消費量に基づいて、前記貯湯式給湯装置が前記太陽光発電手段からの電力供給によって前記所定の期間に給湯できる湯量を予測するステップとを実行させ、
前記貯湯式給湯装置は、洗濯機に対して洗濯水を給湯でき、
前記コンピュータに、さらに、
前記予測した湯量に基づいて、前記洗濯機への前記貯湯式給湯装置からの給湯量を制御するステップを実行させる、プログラム。
【請求項６】
貯湯式給湯装置の動作を制御するコンピュータに、
太陽光で発電する太陽光発電手段の所定の期間の発電量を予測するためのステップを実行させ、
前記太陽光発電手段は、前記貯湯式給湯装置を含む家電器具群に、電力を供給し、
前記コンピュータに、さらに、
前記家電器具群に含まれる、前記貯湯式給湯装置以外の電気器具の電力の前記所定の期間の消費量を予測するためのステップと、
前記予測した前記所定の期間の発電量と前記予測した前記所定の期間の消費量に基づいて、前記貯湯式給湯装置が前記太陽光発電手段からの電力供給によって前記所定の期間に給湯できる湯量を予測するステップと、
前記貯湯式給湯装置に給湯させる給湯先を指定するステップと、
前記予測した湯量に基づいて、前記指定された給湯先への給湯量を制御するステップとを実行させる、プログラム。
【請求項７】
貯湯式給湯装置の動作を制御するコントローラによって実行される、当該コントローラの制御方法であって、
前記制御方法は、
太陽光で発電する太陽光発電手段の所定の期間の発電量を予測するためのステップを含み、
前記太陽光発電手段は、
前記貯湯式給湯装置を含む家電器具群に、電力を供給し、
前記制御方法は、さらに、
前記家電器具群に含まれる、前記貯湯式給湯装置以外の電気器具の電力の前記所定の期間の消費量を予測するためのステップと、
前記予測した前記所定の期間の発電量と前記予測した前記所定の期間の消費量に基づいて、前記貯湯式給湯装置が前記太陽光発電手段からの電力供給によって前記所定の期間に給湯できる湯量を予測するステップとを含み、
前記貯湯式給湯装置は、洗濯機に対して洗濯水を給湯でき、
前記制御方法は、さらに、
前記予測した湯量に基づいて、前記洗濯機への前記貯湯式給湯装置からの給湯量を制御するステップを含む、コントローラの制御方法。
【請求項８】
貯湯式給湯装置の動作を制御するコントローラによって実行される、当該コントローラの制御方法であって、
前記制御方法は、
太陽光で発電する太陽光発電手段の所定の期間の発電量を予測するためのステップを含み、
前記太陽光発電手段は、
前記貯湯式給湯装置を含む家電器具群に、電力を供給し、
前記制御方法は、さらに、
前記家電器具群に含まれる、前記貯湯式給湯装置以外の電気器具の電力の前記所定の期間の消費量を予測するためのステップと、
前記予測した前記所定の期間の発電量と前記予測した前記所定の期間の消費量に基づいて、前記貯湯式給湯装置が前記太陽光発電手段からの電力供給によって前記所定の期間に給湯できる湯量を予測するステップと、
前記貯湯式給湯装置に給湯させる給湯先を指定するステップと、
前記予測した湯量に基づいて、前記指定された給湯先への給湯量を制御するステップとを含む、コントローラの制御方法。